(57)【特許請求の範囲】
【請求項１】
脚に取り付けるキャップナットと、該ナットのネジ孔にねじ込み可能な調整ボルトと、該調整ボルトの頭部を内部に装着したアジャスタ−とを備え、該アジャスタ−を床面に接地可能なケ−スと、外側に工具と係合可能な係合凸部を突設したカバ−とで構成し、前記ケ−スに係合片を設けるとともに、前記カバ−に前記係合片と係合可能な係合爪を設け、これら係合片と係合爪を介して、前記ケ−スとカバ−とを着脱可能に連結しかつ前記ケ−スの底部内面に前記調整ボルトの頭部と係合可能なネジ受を突設したテ−ブル等の高さ調整機構において、前記係合片と対向する前記ケ−ス内の底部に切欠部を形成し、該切欠部の開口縁部と前記係合片との間に前記係合爪を係入するとともに、前記ネジ受の外面に凹部を形成し、前記調整ボルト頭部の押圧力を介して、前記ネジ受を押圧変形可能にするとともに、前記切欠部に臨むネジ受の端縁を弾性変位可能にし、該ネジ受の端縁を前記係合爪に圧接可能にしたことを特徴とするテ−ブル等の高さ調整機構。
【発明の詳細な説明】
【０００１】
【発明の属する技術分野】
本発明は部品点数を低減し、構成の簡潔化を図るとともに、構成部品の分解とその分別を実現して廃棄効率を向上し、しかもテ−ブルの安定性を図れるようにしたテーブル等の高さ調整機構に関する。
【０００２】
【従来の技術】
会議用テ−ブルや椅子等には高さ調整機構が設けられ、テ−ブル高さや着座高さを適宜調節できるようにしている。
例えば実開昭６１−１１５７０５号公報のものは、テ−ブルの脚柱の下端部に埋込ナットを取り付け、該ナットにキャスタ−と一体の取付ボルトをねじ込み、該ボルトの上端部に調整ハンドルを取り付けるとともに、前記脚柱の下端部に一対のロック部材を上下に配置し、調整の狂いを防止するようにしていた。
しかし、この従来の高さ調整機構は、ロック部材による緩み止め効果が乏しく、調整状態が狂い易かった。
【０００３】
そこで、出願人は前記の問題を解決するため、脚の下端部にナットを固定し、該ナットにキャスタ−と一体の取付ボルトをねじ込み、該ボルトの両側に係止面を設け、前記ナットに係合可能な凹部を有する調整ハンドルを設ける一方、前記凹部に取付ボルトに係合可能な係合孔を設け、前記ハンドルをスプリングを介してナット側に付勢し、前記凹部をナットに係合させて、前記キャスタ−による取付ボルトと調整ハンドルの共回りを防止するようにした機構を開発し、これを実用新案登録第２５３２１８９号として提案している。
【０００４】
しかし、この従来の高さ調整機構は、調整ハンドルやスプリング等を要して部品点数が多く、構成が複雑になる上に、キャスタ−と取付ボルトが分解不能に構成されているため、これらを分別して廃棄することができず、しかも前記ナットを脚に溶接しているため、テ−ブルを廃棄する際の分別や廃棄効率が悪い等の問題があった。
【０００５】
【発明が解決しようとする課題】
本発明はこのような問題を解決し、部品点数を低減し、構成の簡潔化を図るとともに、構成部品の分解とその分別を実現して廃棄効率を向上し、しかもテ−ブルの安定性を図れるようにしたテーブル等の高さ調整機構を提供することを目的とする。
【０００６】
【問題を解決するための手段】
このため、請求項１の発明は、脚に取り付けるキャップナットと、該ナットのネジ孔にねじ込み可能な調整ボルトと、該調整ボルトの頭部を内部に装着したアジャスタ−とを備え、該アジャスタ−を床面に接地可能なケ−スと、外側に工具と係合可能な係合凸部を突設したカバ−とで構成し、前記ケ−スに係合片を設けるとともに、前記カバ−に前記係合片と係合可能な係合爪を設け、これら係合片と係合爪を介して、前記ケ−スとカバ−とを着脱可能に連結しかつ前記ケ−スの底部内面に前記調整ボルトの頭部と係合可能なネジ受を突設したテ−ブル等の高さ調整機構において、前記係合片と対向する前記ケ−ス内の底部に切欠部を形成し、該切欠部の開口縁部と前記係合片との間に前記係合爪を係入するとともに、前記ネジ受の外面に凹部を形成し、前記調整ボルト頭部の押圧力を介して、前記ネジ受を押圧変形可能にするとともに、前記切欠部に臨むネジ受の端縁を弾性変位可能にし、該ネジ受の端縁を前記係合爪に圧接可能にし、前記ネジ受の押圧変形を促すとともに、切欠部に臨むネジ受の端縁の弾性変位を促し、係合片と係合爪との係合を強化して、アジャスタ−の組み付け強度を強化し、テ−ブルの安定性を向上するとともに、ネジ受の真空吸引作用によってアジャスタ−の床面に対する密着力を強化し、テ−ブルの安定性を向上するようにしている。
【０００８】
【発明の実施の形態】
以下、本発明を会議用テ−ブルに適用した図示の実施形態について説明すると、図１乃至図１０において１は定置型の会議用テ−ブルで、その天板２の四隅に脚３が取り付けられ、該脚３の下端部に高さ調整機構４が設けられている。
【０００９】
前記高さ調整機構４は、脚３の下端部に取り付ける合成樹脂製のキャップナット５と、該ナット５のネジ孔６にねじ込み可能な調整ボルト７を有するアジャスタ−８とを備えている。
このうち、前記キャップナット５は脚３内に嵌合可能な円筒状に形成され、その軸筒部周面に複数のリブ９を突設し、該軸筒部の下端部に鍔部１０を突設している。また、前記調整ボルト７は頭部７ａの形状寸法が共通し、螺軸の長さが相違する種々のものを使用し得る。
【００１０】
前記アジャスタ−８は図４のように、床面１１上に設置可能な有底のケ−ス１２と、該ケ−ス１２に装着するカバ−１３と、該カバ−１３内に頭部７ａを掛け止めて収納する前記調整ボルト７とから構成されている。
このうち、前記ケ−ス１２は合成樹脂によって略皿状に成形され、その底部の中央に球面状のネジ受１４を突設し、該ネジ受１４の外周面は球面状の凹部１４ａに形成されている。
【００１１】
前記ケ−ス１２の周囲に環状の周壁１５が設けられ、該周壁１５の内面に一対の係止片１６，１６が離間して内側に突設され、該係止片１６，１６間の周壁１５の内面上端部に、係合片１７が内側に突設され、後述の係合爪と係合可能にされている。
図中、１８は前記係止片１６，１６間の周壁１５の基部に形成した切欠部、１９は前記ケ−ス１２の接地側底面に同心円状に形成したリブで、床面１１に接地可能にされている。
【００１２】
前記カバ−１３は合成樹脂によって、前記ケ−ス１２と略同径の円板状に形成され、その一側面の中央に係合凸部２０を突設している。
前記係合凸部２０の周面に複数の係合面２１が形成され、これらの係合面２１にスパナ等の適宜な工具２２を係合し、前記カバ−１３を回動可能にしている。実施形態では前記係合凸部２０を扁平な六角柱状、若しくは六角ナット状に形成し、その相対する係合面２１，２１に工具２２として、スパナを係合可能にしている。
【００１３】
前記係合凸部２０の内側に前記頭部７ａを収容かつ係合可能な凹部２３が形成され、その中央に調整ボルト７を挿入可能な通孔２４を形成している。    実施形態では前記凹部２３を扁平な六角柱状の空スペ−スに形成し、前記頭部７ａを収容かつ係合可能にしている。
前記凹部２３の開口部に一対の係合爪２５が対向して設けられ、その外端縁は略円弧状に形成され、前記係合片１７と係合可能にされている。
【００１４】
このように構成した本発明のテ−ブル等の高さ調整機構は、キャップナット５とアジャスタ−８とを有し、このうちアジャスタ−８は、工具２２と係合可能な係合凸部２０を備えて回動し得るから、調整ハンドルの機能を奏し、このための専用調整ハンドルを要しない。したがって、その分部品点数が低減し、構成の簡潔化を図れる。
【００１５】
前記アジャスタ−８は、合成樹脂製のケ−ス１２とカバ−１３と、金属製の調整ボルト７とからなり、ケ−ス１２およびカバ−１３を別々に樹脂成形し、調整ボルト７は市販のものを用い、これらを分解可能に組み付ける。
この場合、調整ボルト７は頭部７ａの形状寸法が共通し、螺軸の長さが相違する種々のものを使用することができ、そのようにすることで高さ調整範囲を自由に選択でき、種々のテ−ブルの調整に応じられる。
【００１６】
次に前記アジャスタ−８を組み付ける場合は、図４のようにケ−ス１２のネジ受１４上に調整ボルト７の頭部７ａを載せ、前記調整ボルト７の螺軸にカバ−１３の通孔２４を挿入し、該カバ−１３の凹部２３に前記頭部７ａを収容かつ係合する。
そして、カバ−１３の係合爪２５，２５をケ−ス１２の係合片１７，１７上に位置付け、係合爪２５，２５を下方へ押し込む。
【００１７】
このようにすると、係合片１７，１７がその弾性に抗して下方へ湾曲し、係合爪２５，２５が係合片１７，１７の下方に移動し、これらが係合してケ−ス１２とカバ−１３と調整ボルト７とが一体に組み付けられる。その際、係合爪２５，２５の両側部が係止片１６，１６に係合し、その位置ずれを阻止する。
この状況は図３のようで、ケ−ス１２とカバ−１３が密着し、凹部２３内に調整ボルト７の頭部７ａが収容され、その螺軸がカバ−１３上に突出している。
【００１８】
前記アジャスタ−８をテ−ブル１に組み付ける場合は、図３のように脚３の下端部にキャップナット５を押し込んで圧入し、該ナット５のネジ孔６にアジャスタ−８の調整ボルト７をねじ込めばよく、その作業は頗る簡単である。
こうして組み付けたアジャスタ−８は、ケ−ス１２の底面を床面１１に接地して使用される。
【００１９】
次にテ−ブルの高さを調整する場合は、ケ−ス１２を床面１１に接地した状態で、スパナ等の適宜な工具２２を係合凸部２０の相対する係合面２１，２１に係合し、これを所定方向へ押し回す。
このようにすると、係合凸部２０と一体に調整ボルト７が回動し、該ボルト７が前記ネジ孔６にねじ込まれ若しくは引出され、アジャスタ−８を含む脚３の長さを加減して、テ−ブル高さを調整する。
【００２０】
その際、脚３を持ち上げる面倒がないから、天板２上に重量物が載置されている場合でも、前記調整を容易かつ速やかに行なえる。しかも、アジャスタ−８が床面１１上に定置しているから、これが不安定なキャスタ−に比べ調整操作を容易かつ安全に行なえる。
【００２１】
こうして高さ調整したテ−ブル１の使用状況は図１，２のようで、アジャスタ−８の下端面がリブ１９を介して床面１１に接地し、該リブ１９の摩擦によってテ−ブル１の安定性が増大する。
【００２２】
また、テ−ブル１および天板２上の載置物の重量は、調整ボルト７を介してネジ受１４に作用する。その際、ネジ受１４が自身の弾性に抗して若干押圧変形し、その周縁部が外側へ変位し、その端縁が切欠部１８へ進入して係合爪２５を圧接し、ケ−ス１２とカバ−１３の一体化を促す。
しかも、前記ネジ受１４は前記押圧変形による、いわゆる吸盤作用によって床面１１に密着し、テ−ブル１の安定性が増大する。
【００２３】
一方、経年的な使用に伴ってテ−ブル１を廃棄する場合、例えば工具１２を介して係合凸部２０を回動し、調整ボルト７をキャップナット５から取り外して、アジャスタ−８を脚３から分離する。
そして、マイナスドライバ−等の尖端部をケ−ス１２とカバ−１３のシ−ル部に差し込み、これをこじってケ−ス１２とカバ−１３を分解し、調整ボルト７を取り出す。
こうして分解した部品のうち、合成樹脂製のキャップナット５、ケ−ス１２およびカバ−１３と、金属製の調整ボルト７を分別し、廃棄する。
したがって、前記部品の分別を実現し、廃棄効率が向上する。
【００２４】
【発明の効果】
請求項１の発明は、係合片と対向する前記ケ−ス内の底部に切欠部を形成し、該切欠部の開口縁部と前記係合片との間に前記係合爪を係入するとともに、前記ネジ受の外面に凹部を形成し、前記調整ボルト頭部の押圧力を介して、前記ネジ受を押圧変形可能にするとともに、前記切欠部に臨むネジ受の端縁を弾性変位可能にし、該ネジ受の端縁を前記係合爪に圧接可能にしたから、前記ネジ受の押圧変形を促すとともに、切欠部に臨むネジ受の端縁の弾性変位を促し、係合片と係合爪との係合を強化して、アジャスタ−の組み付け強度を強化し、テ−ブルの安定性を向上するとともに、ネジ受の真空吸引作用によってアジャスタ−の床面に対する密着力を強化し、テ−ブルの安定性を向上することができる。
【図面の簡単な説明】
【図１】本発明を適用した会議用テ−ブルの斜視図である。
【図２】図１のＡ−Ａ線に沿う拡大断面図である。
【図３】本発明の要部を分解して示す斜視図である。
【図４】本発明のアジャスタ−を分解して示す斜視図である。
【図５】本発明のアジャスタ−に適用したカバ−の正面図である。
【図６】図５の底面図である。
【図７】図６のＢ−Ｂ線に沿う断面図である。
【図８】本発明のアジャスタ−に適用したケ−スの平面図である。
【図９】図８のＢ−Ｂ線に沿う断面図である。
【図１０】図８の底面図である。
【符号の説明】
１                    テ−ブル
３                    脚
５                    キャップナット
６                    ネジ孔
７                    調整ボルト
７ａ                    頭部
８                    アジャスタ−
１１                    床面
１２                    ケ−ス
１３                    カバ−
１４                    ネジ受
２０                    係合凸部
２２                    工具
【図１】
0003731651.tif 000002
【図２】
0003731651.tif 000003
【図３】
0003731651.tif 000004
【図４】
0003731651.tif 000005
【図５】
0003731651.tif 000006
【図６】
0003731651.tif 000007
【図７】
0003731651.tif 000008
【図８】
0003731651.tif 000009
【図９】
0003731651.tif 000010
【図１０】
0003731651.tif 000011